(57)【要約】【課題】正極活物質層にＬｉ３ＰＯ４が添加された非水電解液二次電池であって、電圧が上昇した際の電池温度の上昇が抑制された非水電解液二次電池を提供する。【解決手段】ここに開示される非水電解液二次電池は、正極と、負極と、非水電解液と、を備える。前記正極は、正極活物質層を有する。前記正極活物質層は、正極活物質と、Ｌｉ３ＰＯ４と、置換基を有していてもよいナフチル基を含む重合性不飽和モノマーとを含有する。前記正極活物質層中のＬｉ３ＰＯ４の含有量は、１質量％以上１５質量％以下である。前記正極活物質層中の前記置換基を有していてもよいナフチル基を有する重合性不飽和モノマーの含有量は、０．０１質量％以上０．１質量％以下である。【選択図】図１
2019008925.tif 000002
【特許請求の範囲】
【請求項１】
正極と、負極と、非水電解液と、を備える非水電解液二次電池であって、
前記正極は、正極活物質層を有し、
前記正極活物質層は、正極活物質と、Ｌｉ３ＰＯ４と、置換基を有していてもよいナフチル基を含む重合性不飽和モノマーとを含有し、
前記正極活物質層中のＬｉ３ＰＯ４の含有量は、１質量％以上１５質量％以下であり、
前記正極活物質層中の前記置換基を有していてもよいナフチル基を有する重合性不飽和モノマーの含有量は、０．０１質量％以上０．１質量％以下である、
非水電解液二次電池。
【発明の詳細な説明】
【技術分野】
【０００１】
本発明は、非水電解液二次電池に関する。
【背景技術】
【０００２】
近年、リチウムイオン二次電池等の非水電解液二次電池は、パソコン、携帯端末等のポータブル電源や、電気自動車（ＥＶ）、ハイブリッド自動車（ＨＶ）、プラグインハイブリッド自動車（ＰＨＶ）等の車両駆動用電源などに好適に用いられている。
【０００３】
非水電解液二次電池について、非水電解液の分解によってその特性が劣化することが知られている。そのため、非水電解液の分解による特性の劣化を抑制するための様々な技術が開発されている。例えば、特許文献１には、Ｌｉ３ＰＯ４を正極活物質層に添加することが開示されている。特許文献１には、Ｌｉ３ＰＯ４が、非水電解液の分解によって生じた酸をトラップすることにより、正極活物質からの遷移金属の溶出を防止することができ、これにより電池特性の劣化を抑制することができることが記載されている。また、特許文献１には、初回充電の際に正極表面にＬｉ３ＰＯ４由来の被膜が形成され、この被膜により非水電解液の分解を抑制して、特性の劣化を抑制することができることが記載されている。
【先行技術文献】
【特許文献】
【０００４】
【特許文献１】特開２０１５−１０３３３２号公報
【発明の概要】
【発明が解決しようとする課題】
【０００５】
一方、非水電解液二次電池は、電圧が上昇した際の電池温度の上昇が抑制されていることが望ましい。本発明者が鋭意検討した結果、従来の正極活物質層にＬｉ３ＰＯ４が添加された非水電解液二次電池において、電圧が上昇した際の電池温度の上昇の抑制に関し、改善の余地があることを見出した。
【０００６】
そこで本発明は、正極活物質層にＬｉ３ＰＯ４が添加された非水電解液二次電池であって、電圧が上昇した際の電池温度の上昇が抑制された非水電解液二次電池を提供することを目的とする。
【課題を解決するための手段】
【０００７】
ここに開示される非水電解液二次電池は、正極と、負極と、非水電解液と、を備える。前記正極は、正極活物質層を有する。前記正極活物質層は、正極活物質と、Ｌｉ３ＰＯ４と、置換基を有していてもよいナフチル基を含む重合性不飽和モノマーとを含有する。前記正極活物質層中のＬｉ３ＰＯ４の含有量は、１質量％以上１５質量％以下である。前記正極活物質層中の前記置換基を有していてもよいナフチル基を有する重合性不飽和モノマーの含有量は、０．０１質量％以上０．１質量％以下である。
このような構成によれば、非水電解液二次電池内に置換基を有していてもよいナフチル基を含む重合性不飽和モノマー、およびＬｉ３ＰＯ４が特定量存在するため、正極活物質および負極活物質の一方または両方に、改質された被膜が形成されるものと考えられる。そして、この被膜により電圧上昇時に、詳細は不明だが、発熱反応（例、非水電解液の分解反応等）が起こるのを抑制していると考えられる。すなわち、このような構成によれば、正極活物質層にＬｉ３ＰＯ４が添加された非水電解液二次電池であって、電圧が上昇した際の電池温度の上昇が抑制された非水電解液二次電池を提供することができる。
【図面の簡単な説明】
【０００８】
【図１】本発明の一実施形態に係るリチウムイオン二次電池の内部構造を模式的に示す断面図である。
【図２】本発明の一実施形態に係るリチウムイオン二次電池の捲回電極体の構成を示す模式図である。
【発明を実施するための形態】
【０００９】
以下、図面を参照しながら、本発明による実施の形態を説明する。なお、本明細書において特に言及している事項以外の事柄であって本発明の実施に必要な事柄（例えば、本発明を特徴付けない非水電解液二次電池の一般的な構成および製造プロセス）は、当該分野における従来技術に基づく当業者の設計事項として把握され得る。本発明は、本明細書に開示されている内容と当該分野における技術常識とに基づいて実施することができる。また、以下の図面においては、同じ作用を奏する部材・部位には同じ符号を付して説明している。また、各図における寸法関係（長さ、幅、厚さ等）は実際の寸法関係を反映するものではない。
【００１０】
なお、本明細書において「二次電池」とは、繰り返し充放電可能な蓄電デバイス一般をいい、いわゆる蓄電池ならびに電気二重層キャパシタ等の蓄電素子を包含する用語である。
また、「非水電解液二次電池」とは、非水電解液（典型的には、非水溶媒中に支持電解質を含む非水電解液）を備えた電池をいう。
【００１１】
以下、扁平形状の捲回電極体と扁平形状の電池ケースとを有する扁平角型のリチウムイオン二次電池を例にして、本発明について詳細に説明するが、本発明をかかる実施形態に記載されたものに限定することを意図したものではない。
【００１２】
図１に示すリチウムイオン二次電池１００は、扁平形状の捲回電極体２０と非水電解液（図示せず）とが扁平な角形の電池ケース（即ち外装容器）３０に収容されることにより構築される密閉型のリチウムイオン二次電池１００である。電池ケース３０には外部接続用の正極端子４２および負極端子４４と、電池ケース３０の内圧が所定レベル以上に上昇した場合に該内圧を開放するように設定された薄肉の安全弁３６が設けられている。また、電池ケース３０には、非水電解液を注入するための注入口（図示せず）が設けられている。正極端子４２は、正極集電板４２ａと電気的に接続されている。負極端子４４は、負極集電板４４ａと電気的に接続されている。電池ケース３０の材質としては、例えば、アルミニウム等の軽量で熱伝導性の良い金属材料が用いられる。
【００１３】
捲回電極体２０は、図１および図２に示すように、長尺状の正極集電体５２の片面または両面（ここでは両面）に長手方向に沿って正極活物質層５４が形成された正極シート５０と、長尺状の負極集電体６２の片面または両面（ここでは両面）に長手方向に沿って負極活物質層６４が形成された負極シート６０とが、２枚の長尺状のセパレータシート７０を介して重ね合わされて長手方向に捲回された形態を有する。なお、捲回電極体２０の捲回軸方向（即ち、上記長手方向に直交するシート幅方向）の両端から外方にはみ出すように形成された正極活物質層非形成部分５２ａ（即ち、正極活物質層５４が形成されずに正極集電体５２が露出した部分）と負極活物質層非形成部分６２ａ（即ち、負極活物質層６４が形成されずに負極集電体６２が露出した部分）には、それぞれ正極集電板４２ａおよび負極集電板４４ａが接合されている。
【００１４】
正極シート５０を構成する正極集電体５２としては、例えばアルミニウム箔等が挙げられる。
正極活物質層５４は、正極活物質と、Ｌｉ３ＰＯ４と、置換基を有していてもよいナフチル基を含む重合性不飽和モノマー（以下、「ナフチル基含有モノマー」とも呼ぶことがある）とを含有する。
正極活物質としては、リチウムイオンを吸蔵および放出可能な材料が用いられ、従来からリチウムイオン二次電池に用いられる物質（例えば層状構造の酸化物やスピネル構造の酸化物）の一種または二種以上を特に限定することなく使用することができる。正極活物質の例としては、リチウムニッケル系複合酸化物、リチウムコバルト系複合酸化物、リチウムマンガン系複合酸化物、リチウムニッケルマンガン系複合酸化物（例、ＬｉＮｉ０．５Ｍｎ１．５Ｏ４）、リチウムニッケルマンガンコバルト系複合酸化物（例、ＬｉＮｉ１／３Ｍｎ１／３Ｃｏ１／３Ｏ２）等のリチウム含有遷移金属酸化物が挙げられる。正極活物質の含有量は、正極活物質層５４中（すなわち、正極活物質層５４の全質量に対し）７０質量％以上が好ましい。
【００１５】
ナフチル基含有モノマーは、置換基を有していてもよいナフチル基を有し、重合反応可能な不飽和化合物である限り、その種類には特に制限はない。ナフチル基含有モノマーの例としては、下記式（１）で表される化合物が挙げられる。
【００１６】
【化１】
2019008925.tif 000003
【００１７】
上記式（１）において、Ｒは、水素原子、またはメチル基を示す。ＸおよびＹは、同一であっても異なつていてもよく、水素原子、アルキル基、アルコキシ基、アルコキシカルボニルオキシ基、フェノキシカルボニルオキシ基、ホスホリルオキシ基、水酸基、スルホン酸基、スルホンアミド基、カルボキシル基、アミノ基、ニトロ基、ハロゲン原子、アリールオキシ基、アルキルチオ基、またはアリールチオ基を示す。Ｗは、酸素原子および窒素原子の少なくともいずれかを含有していてもよい有機基であって、酸素原子、窒素原子および炭素原子の合計原子数が１〜２０の有機基であるか、または単結合である。
上記式（１）で表される化合物の例としては、ビニルナフタレン、ナフチル（メタ）アクリレート、ナフチルアルキル（メタ）アクリレート、およびこれらの誘導体（即ち、ナフチル基に置換基を有する誘導体）などが挙げられる。これらは１種単独でまたは２種以上を組み合わせて用いることができる。
上記式（１）で表される化合物の中でも、ナフチル(メタ)アクリレートおよびその誘導体（即ち、ナフチル基に置換基を有する誘導体）が好ましい。具体的には、下記式（２）で表される化合物が好ましい。
【００１８】
【化２】
2019008925.tif 000004
【００１９】
上記式（２）において、Ｒは、水素原子、またはメチル基を示す。ＸおよびＹは、同一であっても異なつていてもよく、水素原子、アルキル基、アルコキシ基、アルコキシカルボニルオキシ基、フェノキシカルボニルオキシ基、ホスホリルオキシ基、水酸基、スルホン酸基、スルホンアミド基、カルボキシル基、アミノ基、ニトロ基、ハロゲン原子、アリールオキシ基、アルキルチオ基、またはアリールチオ基を示す。
上記式（２）で表される化合物の例としては、１−ナフチル（メタ）アクリレート、２−ナフチル（メタ）アクリレート、及びこれらの誘導体（即ち、ナフチル基に置換基を有する誘導体）などが挙げられる。
上記式（２）で表される化合物の中でも、下記式（３）で表される４−置換−１−ナフチル（メタ）アクリレート化合物が好ましい。
【００２０】
【化３】
2019008925.tif 000005
【００２１】
上記式（３）において、Ｒは、水素原子、またはメチル基を示す。Ｚ１は、水酸基、ホスホリルオキシ基、フェノキシカルボニルオキシ基、炭素数１〜８のアルキル基、炭素数１〜８のアルコキシ基、または炭素数１〜８のアルコキシカルボニルオキシ基を示す。Ｚ１が、アルキル基またはアルコキシ基である場合、その炭素数は１〜４が好ましく、１〜２がより好ましく、１がさらに好ましい。Ｚ１が、アルコキシカルボニルオキシ基である場合、そのアルコキシ部位の炭素数は、１〜４が好ましく、１〜２がより好ましく、１がさらに好ましい。Ｚ２は、水素原子、水酸基、炭素数１〜４のアルキル基、または炭素数１〜４のアルコキシ基を示す。Ｚ２が、アルキル基またはアルコキシ基である場合、その炭素数は１〜２が好ましく、１がより好ましい。
【００２２】
上記式（３）で表される４−置換−１−ナフチル（メタ）アクリレート化合物の例としては、４−メチル−１−ナフチル（メタ）アクリレート、４−エチル−１−ナフチル（メタ）アクリレート、４−メトキシ−１−ナフチル（メタ）アクリレート、４−エトキシ−１−ナフチル（メタ）アクリレート、４−ヒドロキシ−１−ナフチル（メタ）アクリレート、２−メトキシ−４−ヒドロキシ−１−ナフチル（メタ）アクリレート、２−エトキシ−４−ヒドロキシ−１−ナフチル（メタ）アクリレート、２−ヒドロキシ−４−メトキシ−１−ナフチル（メタ）アクリレート、２−ヒドロキシ−４−エトキシ−１−ナフチル（メタ）アクリレート、４−メトキシカルボニルオキシ−１−ナフチル（メタ）アクリレート、４−フェノキシカルボニルオキシ−１−ナフチル（メタ）アクリレート、４−ホスホリルオキシ−１−ナフチル（メタ）アクリレートなどが挙げられる。これらは１種単独でまたは２種以上を組み合わせて用いることができる。
【００２３】
Ｌｉ３ＰＯ４の含有量は、正極活物質層５４中１質量％以上１５質量％以下である。
ナフチル基含有モノマーの含有量は、正極活物質層５４中０．０１質量％以上０．１質量％以下である。
Ｌｉ３ＰＯ４の含有量およびナフチル基含有モノマーの含有量が上記範囲内にあることにより、電圧が上昇した際の電池温度の上昇を抑制することができる。
本発明者らの検討によれば、リチウムイオン二次電池を実際に作製した際に、正極活物質および負極活物質の両方の表面に被膜が形成されていることが確認された。したがって、リチウムイオン二次電池内にナフチル基含有モノマーおよびＬｉ３ＰＯ４が特定量存在する場合、正極活物質および負極活物質の一方または両方に、改質された被膜が形成されるものと考えられる。具体的には、Ｌｉ３ＰＯ４、および非水電解液に分解により生じた酸（例、ＨＦ）の反応物と、ナフチル基含有モノマーとが反応することによって、正極活物質および負極活物質の一方または両方に、従来とは異なる被膜が形成されるものと考えられる。そして、この被膜により電圧上昇時に、発熱反応（例、非水電解液の分解反応等）が起こるのが抑制されるものと考えられる。
電圧が上昇した際の電池温度の上昇をより抑制できることから、Ｌｉ３ＰＯ４の含有量は、正極活物質層５４中２質量％以上１５質量％以下が好ましく、３質量％以上１２質量％以下がより好ましく、５質量％以上１０質量％以下がさらに好ましい。
電圧が上昇した際の電池温度の上昇をより抑制できることから、ナフチル基含有モノマーの含有量は、正極活物質層５４中０．０１５質量％以上０．０８質量％以下が好ましく、０．０２質量％以上０．０５質量％以下がより好ましい。
電圧が上昇した際の電池温度の上昇をより抑制できることから、正極活物質層５４中のナフチル基含有モノマーの含有量に対するＬｉ３ＰＯ４の含有量の比（Ｌｉ３ＰＯ４の含有量／ナフチル基含有モノマーの含有量）は、１０以上１５００以下が好ましく、２０以上１０００以下がより好ましく、４０以上７５０以下がさらに好ましい。
【００２４】
また、Ｌｉ３ＰＯ４とナフチル基含有モノマーとの併用により、低温（例えば−３０℃程度）かつ低ＳＯＣ（例えばＳＯＣ２０％程度）でのリチウムイオン二次電池１００の出力が向上する。
【００２５】
正極活物質層５４は、正極活物質、Ｌｉ３ＰＯ４、およびナフチル基含有モノマー以外の成分を含み得る。その例としては、導電材、バインダ等が挙げられる。
導電材としては、例えばアセチレンブラック（ＡＢ）等のカーボンブラックやその他（例、グラファイト等）の炭素材料を好適に使用し得る。正極活物質層５４中の導電材の含有量は、１質量％以上１５質量％以下が好ましく、３質量％以上１３質量％以下がより好ましい。
バインダとしては、例えばポリフッ化ビニリデン（ＰＶｄＦ）等を使用し得る。正極活物質層５４中のバインダの含有量は、１質量％以上１５質量％以下が好ましく、２質量％以上１０質量％以下がより好ましい。
【００２６】
負極シート６０を構成する負極集電体６２としては、例えば銅箔等が挙げられる。負極活物質層６４に含まれる負極活物質としては、例えば黒鉛、ハードカーボン、ソフトカーボン等の炭素材料を使用し得る。黒鉛は、天然黒鉛であっても人造黒鉛であってもよく、黒鉛が非晶質な炭素材料で被覆された形態の非晶質炭素被覆黒鉛であってもよい。負極活物質層６４は、活物質以外の成分、例えばバインダや増粘剤等を含み得る。バインダとしては、例えばスチレンブタジエンラバー（ＳＢＲ）等を使用し得る。増粘剤としては、例えばカルボキシメチルセルロース（ＣＭＣ）等を使用し得る。
負極活物質層中の負極活物質の含有量は、９０質量％以上が好ましく、９５質量％〜９９質量％がより好ましい。負極活物質層中のバインダの含有量は、０．１質量％〜８質量％が好ましく、０．５質量％〜３質量％がより好ましい。負極活物質層中の増粘剤の含有量は、０．３質量％〜３質量％が好ましく、０．５質量％〜２質量％がより好ましい。
【００２７】
セパレータ７０としては、例えばポリエチレン（ＰＥ）、ポリプロピレン（ＰＰ）、ポリエステル、セルロース、ポリアミド等の樹脂から成る多孔性シート（フィルム）が挙げられる。かかる多孔性シートは、単層構造であってもよく、二層以上の積層構造（例えば、ＰＥ層の両面にＰＰ層が積層された三層構造）であってもよい。セパレータ７０の表面には、耐熱層（ＨＲＬ）が設けられていてもよい。
【００２８】
非水電解液は、典型的には、非水溶媒と支持塩とを含有する。
非水溶媒としては、一般的なリチウムイオン二次電池の電解液に用いられる各種のカーボネート類、エーテル類、エステル類、ニトリル類、スルホン類、ラクトン類等の有機溶媒を、特に限定なく用いることができる。具体例として、エチレンカーボネート（ＥＣ）、プロピレンカーボネート（ＰＣ）、ジエチルカーボネート（ＤＥＣ）、ジメチルカーボネート（ＤＭＣ）、エチルメチルカーボネート（ＥＭＣ）、モノフルオロエチレンカーボネート（ＭＦＥＣ）、ジフルオロエチレンカーボネート（ＤＦＥＣ）、モノフルオロメチルジフルオロメチルカーボネート（Ｆ−ＤＭＣ）、トリフルオロジメチルカーボネート（ＴＦＤＭＣ）等が例示される。このような非水溶媒は、１種を単独で、あるいは２種以上を適宜組み合わせて用いることができる。
支持塩としては、例えば、ＬｉＰＦ６、ＬｉＢＦ４、ＬｉＣｌＯ４等のリチウム塩（好ましくはＬｉＰＦ６）を好適に用いることができる。支持塩の濃度は、０．７ｍｏｌ／Ｌ以上１．３ｍｏｌ／Ｌ以下が好ましい。
【００２９】
なお、上記非水電解液は、本発明の効果を著しく損なわない限りにおいて、上述した成分以外の成分、例えば、ビフェニル（ＢＰ）、シクロヘキシルベンゼン（ＣＨＢ）等のガス発生剤；増粘剤；等の各種添加剤を含んでいてもよい。
【００３０】
以上のようにして構成されるリチウムイオン二次電池１００は、各種用途に利用可能である。好適な用途としては、電気自動車（ＥＶ）、ハイブリッド自動車（ＨＶ）、プラグインハイブリッド自動車（ＰＨＶ）等の車両に搭載される駆動用電源が挙げられる。リチウムイオン二次電池１００は、典型的には複数個を直列および／または並列に接続してなる組電池の形態でも使用され得る。
【００３１】
なお、一例として扁平形状の捲回電極体２０を備える角形のリチウムイオン二次電池１００について説明した。しかしながら、ここに開示される非水電解液二次電池は、積層型電極体を備えるリチウムイオン二次電池として構成することもできる。また、ここに開示される非水電解液二次電池は、円筒形リチウムイオン二次電池として構成することもできる。また、ここに開示される非水電解液二次電池は、リチウムイオン二次電池以外の非水電解液二次電池として構成することもできる。
【００３２】
以下、本発明に関する実施例を説明するが、本発明をかかる実施例に示すものに限定することを意図したものではない。
【００３３】
＜評価用リチウムイオン二次電池の作製＞
分散機を用いて、導電材としてのアセチレンブラック（ＡＢ）、ナフチル基含有モノマーとしてナフチルメタクリレート、およびＮ−メチルピロリドン（ＮＭＰ）が混合されたペーストを得た。このペーストに、正極活物質としてのＬｉＮｉ１／３Ｃｏ１／３Ｍｎ１／３Ｏ２（ＬＮＣＭ）と、Ｌｉ３ＰＯ４との混合粉体を投入した後、固形分を均一に分散させ、正極活物質層形成用スラリーを調製した。なお、正極活物質形成用スラリーは、ＬＮＣＭ：Ｌｉ３ＰＯ４：ナフチル基含有モノマー：ＡＢ：ＰＶｄＦ＝９０−ｘ−ｙ：ｘ：ｙ：８：２（質量比）となるように調製した（ｘとｙは表１に示す値である）。このスラリーを、厚さ１５μｍの長尺状のアルミニウム箔の両面に帯状に塗布して乾燥した後、プレスすることにより、正極シートを作製した。
また、負極活物質としての天然黒鉛（Ｃ）と、バインダとしてのスチレンブタジエンゴム（ＳＢＲ）と、増粘剤としてのカルボキシメチルセルロース（ＣＭＣ）とを、Ｃ：ＳＢＲ：ＣＭＣ＝９８：１：１の質量比でイオン交換水と混合して、負極活物質層形成用スラリーを調製した。このスラリーを、厚さ１０μｍの長尺状の銅箔の両面に帯状に塗布して乾燥した後、プレスすることにより、負極シートを作製した。
また、セパレータシートとして、ＰＰ／ＰＥ／ＰＰの三層構造を有する２枚の厚さ２０μｍの多孔性ポリオレフィンシートを用意した。
作製した正極シートと負極シートと用意した２枚のセパレータシートとを重ね合わせ、捲回して捲回電極体を作製した。このとき、正極シートと負極シートとの間にセパレータが介在するようにした。正極シートと負極シートにそれぞれ電極端子を取り付け、これを、注液口を有する電池ケースに収容した。
続いて、電池ケースの注液口から非水電解液を注入し、当該注液口を気密に封止した。なお、非水電解液には、エチレンカーボネート（ＥＣ）とジメチルカーボネート（ＤＭＣ）とエチルメチルカーボネート（ＥＭＣ）とを３：４：３の体積比で含む混合溶媒に、支持塩としてのＬｉＰＦ６を１．０ｍｏｌ／Ｌの濃度で溶解させたものを用いた。
このようにして、評価用リチウムイオン二次電池を作製した。
【００３４】
＜電池温度測定＞
上記作製した各評価用リチウムイオン二次電池に、初期充放電処理を行った。その後、各評価用リチウムイオン二次電池の電池ケースに熱電対を取り付けて温度を測定した。その後５．１Ｖまで充電を行い、温度を測定した。そして、充電前後での温度差（すなわち温度上昇量）を求めた。Ｌｉ３ＰＯ４の含有量が異なる各評価リチウムイオン二次電池の系において、ナフチル基含有モノマーの含有量が０質量％であるリチウムイオン二次電池の温度上昇量を基準（基準値：１００％）として、各評価用リチウムイオン二次電池の温度上昇量の比（％）を算出した。結果を表１に示す。
【００３５】
【表１】
2019008925.tif 000006
【００３６】
表１より、正極活物質層が、Ｌｉ３ＰＯ４を１質量％以上１５質量％以下、かつナフチル基含有モノマーを０．０１質量％以上０．１質量％以下含有する場合に、電圧が上昇した際の電池温度の上昇が大きく抑制されていることがわかる。
したがって、ここに開示される非水電解液二次電池によれば、電圧が上昇した際の電池温度の上昇を抑制できることがわかる。
【００３７】
以上、本発明の具体例を詳細に説明したが、これらは例示にすぎず、請求の範囲を限定するものではない。請求の範囲に記載の技術には、以上に例示した具体例を様々に変形、変更したものが含まれる。
【符号の説明】
【００３８】
２０    捲回電極体
３０    電池ケース
３６    安全弁
４２    正極端子
４２ａ  正極集電板
４４    負極端子
４４ａ  負極集電板
５０    正極シート（正極）
５２    正極集電体
５２ａ  正極活物質層非形成部分
５４    正極活物質層
６０    負極シート（負極）
６２    負極集電体
６２ａ  負極活物質層非形成部分
６４    負極活物質層
７０    セパレータシート（セパレータ）
１００  リチウムイオン二次電池
【図１】
2019008925.tif 000007
【図２】
2019008925.tif 000008